(57)【要約】【課題】  掛け具３が本体２から簡単に分離するようなことはなく、本体２から装着体４が使用者の意に反して外れてしまうことがないゴーグルを提供する。【解決手段】  本体２と、掛け具３を備え、掛け具３を本体２の外端部に連結する装着体４とからなり、前記本体２の外端部には、レンズ面に対して略直交して立上っている立て壁７とこの立て壁７と略直交して立て壁７の基部から外方に延伸した台座８を設け、立て壁７側に向けて掛け溝９ａを有した掛け体９をこの台座８に突設し、前記掛け具３は、前記掛け体９の掛け孔１２を形成し、この掛け孔１２の内側部に前記掛け体９の掛け溝９ａへの掛け部１２ａを形成したものとしている。【選択図面】    図２
2005323751.tif 000002
【特許請求の範囲】
【請求項１】
本体（２）と、掛け具（３）を備え、掛け具（３）を本体（２）の外端部に連結する装着体（４）とからなり、前記本体（２）の外端部には、レンズ面に対して略直交して立上っている立て壁（７）とこの立て壁（７）と略直交して立て壁（７）の基部から外方に延伸した台座（８）を設け、立て壁（７）側に向けて掛け溝（９ａ）を有した掛け体（９）をこの台座（８）に突設し、前記掛け具（３）は、前記掛け体（９）の掛け孔（１２）を形成し、この掛け孔（１２）の内側部に前記掛け体（９）の掛け溝（９ａ）への掛け部（１２ａ）を形成したことを特徴とするゴーグル。
【請求項２】
本体（２）と、掛け具（３）を備え、掛け具（３）を本体（２）の外端部に連結する装着体（４）とからなり、前記本体（２）の外端部には、レンズ面に対して略直交して立上っている立て壁（７）とこの立て壁（７）と略直交して立て壁（７）の基部から外方に延伸した台座（８）を設け、立て壁（７）側に向けて掛け溝（９ａ）を有した掛け体（９）をこの台座（８）に突設し、前記掛け具（３）は、内側部を前方から後方にかけて傾斜させた傾斜壁（１０）とし、外側部に前記装着体（４）の連結部（１１）を設け、さらに中間部に前記掛け体（９）の掛け孔（１２）を形成し、この掛け孔（１２）の内側部に前記掛け体（９）の掛け溝（９ａ）への掛け部（１２ａ）を形成したことを特徴とするゴーグル。
【請求項３】
本体（２）と、掛け具（３）を備え、掛け具（３）を本体（２）の外端部に連結する装着体（４）とからなり、前記本体（２）の外端部には、レンズ面に対して略直交して立上っている立て壁（７）とこの立て壁（７）と略直交して立て壁（７）の基部から外方に延伸した台座（８）を設け、さらにこの台座（８）の上下端部に嵌合溝（８ａ）を形成するとともに、立て壁（７）側に向けて掛け溝（９ａ）を有した掛け体（９）をこの台座（８）に突設し、前記掛け具（３）は、内側部を前方から後方にかけて傾斜させた傾斜壁（１０）とし、この傾斜壁（１０）の両端に前記台座（８）の嵌合溝（８ａ）との嵌合部（３ａ）を形成し、外側部に前記装着体（４）の連結部（１１）を設け、さらに中間部に前記掛け体（９）の掛け孔（１２）を形成し、この掛け孔（１２）の内側部に前記掛け体（９）の掛け溝（９ａ）への掛け部（１２ａ）を形成したことを特徴とするゴーグル。
【請求項４】
前記本体（２）が、左右の本体（２Ｌ、２Ｒ）からなるものとすると共に、これら左右の本体（２Ｌ、２Ｒ）の内端を連結するジョイント（５）を備えたものとしたことを特徴とする請求項１から３のいずれかに記載のゴーグル。
【請求項５】
前記本体（２）の掛け体（９）、および前記掛け具（３）の掛け孔（１２）のそれぞれの平面形状を流線形にしたことを特徴とする請求項１から３のいずれかに記載のゴーグル。
【発明の詳細な説明】
【技術分野】
【０００１】
この発明は、ゴーグルに関するもので、特に水泳、スキーなどのスポーツをするときに着用するのに適したゴーグルに関するものである。
【背景技術】
【０００２】
従来、この種のゴーグルとしては、例えば図５〜８に示したような、水中メガネとしたものが存在する。この水中メガネ２１は、左右のメガネ本体２２Ｌ、２２Ｒと、これらメガネ本体２２Ｌ、２２Ｒの内端を互いに係脱自在として連結する可撓性を有するジョイント２３と、両端に掛け具２４を備え、これら掛け具２４のそれぞれをメガネ本体２２Ｌ、２２Ｒの各外端部に係脱自在に連結してル−プを形成するヘッドバンド２５などの頭部取付体とからなる。
【０００３】
前記メガネ本体２２Ｌ、２２Ｒの各外端部には、レンズ面に対して略直交して立上っている受け座２６Ａとこの受け座２６Ａの基部に一体でかつ受け座２６Ａと略直交して外方に延伸した台座２６Ｂとを備えているとともに、受け座２６Ａとほぼ平行な被係止面を有する対の被係止片２７を備えている。これら被係止片２７の間に位置する受け座２６Ａには、被係合部２８が形成されている。
【０００４】
前記掛け具２４には、受け座２６Ａに正対して面接する当り座２９を備えている。この当り座２９には、被係合部２８に弾性変形を介して雄雌関係で係脱自在となる係合部３０と、被係止片２７に係合するとともに被係止片２７と台座２６Ｂに対してバンド長手方向の離脱を阻止して係脱自在となる係止片３１が形成されている（特許文献１）。
【０００５】
このように構成された水中メガネ２１では、掛け具２４をメガネ本体２２Ｌ、２２Ｒに対し、前方から装着すると、係止片３１は被係止片２７の左右内側に位置されて掛け具２４がメガネ本体２２Ｌ、２２Ｒに対し左右外側方に外れることを抑止している。また、係合部３０と被係合部２８との雌雄係合により、掛け具２４がメガネ本体２２Ｌ、２２Ｒに対し前後方向に抜けることを弾性的に防止している。さらに、抜止片となる当り座２９と上下係止片３１とのそれぞれの間隙に上下被係止片２７が介在されて、掛け具２４がメガネ本体２２Ｌ、２２Ｒに対し上下方向に外れることを抑止している。
【０００６】
さらに、この種のゴーグルとしては、例えば図９〜１１に示したような、スイミング用ゴーグルとしたものが存在する。このスイミング用ゴーグル４１は、前面と後面とを有するレンズ部４２と、このレンズ部４２を囲むフレーム部４３と、このフレーム部４３の後端部分に連結されたヘッドバンド４４などの頭部取付体とからなる。
【０００７】
前記フレーム部４３は、後端部分に互いに並行して後方へ延びる上方アーム４５と下方アーム４６とを有している。これら両アーム４５、４６は、先端部分に互いに対向して他方のアームへ向かう突出部４７、４８を有している。そして、これら突出部４７、４８どうしの離間寸法Ｒは、突出部４７、４８よりも前方における両アーム４５、４６の離間寸法Ｑよりも小さく形成されている。
【０００８】
前記ヘッドバンド４４は、両アーム４５、４６間に離脱可能に収容されたゴム弾性を有する連結部材５１を介してフレーム部４３に取り付けられている。連結部材５１は、固定部５２と、この固定部５２の後面から両アーム４５、４６間を通り抜けて後方へ向かって延びる可撓性の帯状部５３と、この帯状部５３に形成されたヘッドバンド４４のための挿通孔５４とを有している。前記固定部５２は、上方アーム４５と下方アーム４６とに向かい合う一対の側面５５ａ、５５ｂのそれぞれにストッパー用突起５６を有する。さらに、この固定部５２は、上方アーム４５と下方アーム４６との間にあってフレーム部４３の凹部４３ａに収容され、固定部５２の後面５２ａが平滑部５７の少なくとも一部分５７ａに前方から密着するとともに、上方アーム４５と下方アーム４６との突出部４７、４８とにも前方から密着している。帯状部５３は、その幅と厚さとのうちの少なくとも一方の寸法が突出部４７、４８どうしの離間寸法Ｒよりも小さくしている（特許文献２）。
【０００９】
このように構成されたスイミング用ゴーグル４１では、ゴーグルが着用されてヘッドバンド４４が、図１０、１１の下方へ引っ張られた状態になると、連結部材５１は、固定部５２が上方アーム４５および下方アーム４６における突出部４７、４８と平滑部５７の一部分５７ａとに前方から強く密着し、両アーム４５、４６の間から後方へ抜けることがないようにしている。また、前記ストッパー用突起５６は、図１１に示したように、上方アーム４５と下方アーム４６との後方に位置するようになって、固定部５２が凹部４３ａから前方へ離脱することを抑制するようにしている。
【特許文献１】特許第３１９９５３２号公報（第２、３頁、図２〜５）
【特許文献２】特開２００３−６２１２１号公報（第２、３頁、図１〜３）
【発明の開示】
【発明が解決しようとする課題】
【００１０】
しかしながら、上記従来のゴーグルとしての水中メガネ２１では、係合部３０と被係合部２８との僅かな係合により抜け止め防止をしているので、掛け具２４を前方に取り外す力（図８の矢印Ｂ方向に働く力）に対してはその係合が非常に弱く、水中メガネの着用時に、掛け具２４を前方に取り外す力が働いた場合には、メガネ本体２２Ｌ、２２Ｒと掛け具２４が分離し、メガネ本体２２Ｌ、２２Ｒからヘッドバンド２５が外れてしまうという可能性を有していた。また、従来の水中メガネ２１では、掛け具２４を軟質材料からなるものとすると、前記係合部３０と被係合部２８との抜け止め強度が弱くなり、メガネ本体２２Ｌ、２２Ｒからヘッドバンド２５が簡単に外れてしまうことがあるので、掛け具２４は主として硬質材料からなるものとするしかなかった。
【００１１】
さらに、従来のゴーグルとしてのスイミング用ゴーグル４１では、固定部５２を上方アーム４５および下方アーム４６の前方へ押し出すような力（図１０の矢印Ｅ方向に働く力）が働いた場合には、ストッパー用突起５６と、上方アーム４５と下方アーム４６の突出部４７、４８との係合が外れてしまい、フレーム部４３と連結部材５１が分離し、フレーム部４３からヘッドバンド４４が外れてしまうという可能性を有していた。
【００１２】
そこで、この発明は、上記従来のゴーグルが有する問題点を解決することをその課題としており、メガネ本体（フレーム部）とヘッドバンドとの掛け具（連結部材）に、どのような方向の力が作用しても、また掛け具（連結部材）が軟質材料からなる場合にも、この掛け具（連結部材）がメガネ本体（フレーム部）から簡単に分離するようなことはなく、メガネ本体（フレーム部）からヘッドバンドなどの装着体が外れてしまうことのないゴーグルを提供することを目的としてなされたものである。
【課題を解決するための手段】
【００１３】
そのため、この発明のゴーグルは、本体２と、掛け具３を備え、掛け具３を本体２の外端部に連結する装着体４とからなり、前記本体２の外端部には、レンズ面に対して略直交して立上っている立て壁７とこの立て壁７と略直交して立て壁７の基部から外方に延伸した台座８を設け、立て壁７側に向けて掛け溝９ａを有した掛け体９をこの台座８に突設し、前記掛け具３は、前記掛け体９の掛け孔１２を形成し、この掛け孔１２の内側部に前記掛け体９の掛け溝９ａへの掛け部１２ａを形成したものとしている。
【００１４】
さらに、この発明のゴーグルは、本体２と、掛け具３を備え、掛け具３を本体２の外端部に連結する装着体４とからなり、前記本体２の外端部には、レンズ面に対して略直交して立上っている立て壁７とこの立て壁７と略直交して立て壁７の基部から外方に延伸した台座８を設け、立て壁７側に向けて掛け溝９ａを有した掛け体９をこの台座８に突設し、前記掛け具３は、内側部を前方から後方にかけて傾斜させた傾斜壁１０とし、外側部に前記装着体４の連結部１１を設け、さらに中間部に前記掛け体９の掛け孔１２を形成し、この掛け孔１２の内側部に前記掛け体９の掛け溝９ａへの掛け部１２ａを形成したものとしている。
【００１５】
また、この発明のゴーグルは、本体２と、掛け具３を備え、掛け具３を本体２の外端部に連結する装着体４とからなり、前記本体２の外端部には、レンズ面に対して略直交して立上っている立て壁７とこの立て壁７と略直交して立て壁７の基部から外方に延伸した台座８を設け、さらにこの台座８の上下端部に嵌合溝８ａを形成するとともに、立て壁７側に向けて掛け溝９ａを有した掛け体９をこの台座８に突設し、前記掛け具３は、内側部を前方から後方にかけて傾斜させた傾斜壁１０とし、この傾斜壁１０の両端に前記台座８の嵌合溝８ａとの嵌合部４ａを形成し、外側部に前記装着体４の連結部１１を設け、さらに中間部に前記掛け体９の掛け孔１２を形成し、この掛け孔１２の内側部に前記掛け体９の掛け溝９ａへの掛け部１２ａを形成したものとしている。
【００１６】
そして、この発明のゴーグルは、前記本体２を、左右の本体２Ｌ、２Ｒからなるものとすると共に、これら左右の本体２Ｌ、２Ｒの内端を連結するジョイント５を備えたものとしている。
【００１７】
また、この発明のゴーグルは、前記本体２の掛け体９および前記掛け具３の掛け孔１２のそれぞれの平面形状を流線形にしたものとしている。
【発明の効果】
【００１８】
この発明のゴーグルは、以上に述べたように構成されているので、本体２と装着体４との掛け具３に、どのような方向の力が作用しても、また掛け具３が軟質材料からなる場合にも、この掛け具３が本体２から簡単に分離するようなことはなく、本体２から装着体４が外れてしまうことがないものとなり、非常に使い勝手のよいものとなる。
【００１９】
さらに、この発明のゴーグルは、前記本体２の掛け体９、および前記掛け具３の掛け孔１２のそれぞれの平面形状を流線形にしたものでは、ゴーグル着用時に流体抵抗の少ないものとなり、特にスポーツをするときに適したものとなる。
【発明を実施するための最良の形態】
【００２０】
以下、この発明のゴーグルを実施するための最良の形態について、図面に基づき詳細に説明する。
【００２１】
この発明のゴーグル１は、図１に示したように、本体２と、両端に掛け具３を備え、これら掛け具３のそれぞれを本体２の外端部に連結する装着体４とからなるものとしている。前記本体２は、図示したものは左右の本体２Ｌ、２Ｒからなる複眼式のものとしているが、単眼式のものとしてもよい。本体２を複眼式のものとする場合には、図示したように、左右の本体２Ｌ、２Ｒの内端を互いに係脱自在として連結する可撓性を有するジョイント５を備えたものとしている。
【００２２】
前記本体２は、透明または半透明の硬質合成樹脂などの硬質材料からなり、必要に応じてそのレンズ面は防曇処理が施されている。そして、ゴーグル１の着用時に、前記本体２の顔面と接触する側には、顔面に密着しかつ顔面に強い衝撃を与えないために柔軟な弾力を有する環状パッド６が着脱自在に装着されている。
【００２３】
前記本体２の外端部には、図２〜４に示したように、レンズ面に対して略直交して立上っている立て壁７とこの立て壁７と略直交して立て壁７の基部から外方に延伸した台座８を設けている。さらに、この台座８には、後述する掛け具３の嵌合部３ａと嵌合する嵌合溝８ａを上下端部に形成するとともに、立て壁７側に掛け溝９ａを有した掛け体９を外側部に突設している。図示したものでは、前記立て壁７を凸曲面状壁とし、その基部から外方に延伸した台座８の上下端部に、内側方向の傾斜面を有する前記嵌合溝８ａを形成している。そして、前記掛け体９の平面形状は、流線形にしており、ゴーグル１の着用時に流体抵抗の少ないものとなるようにしている。
【００２４】
前記掛け具３は、透明、半透明または不透明の硬質合成樹脂などの硬質材料や、透明、半透明または不透明のエラストマーなどの軟質材料からなり、弾性変形可能なものとしている。そして、前記掛け具３は、内側部を前方から後方にかけて傾斜させた傾斜壁１０とし、この傾斜壁１０の両端部に前記台座８の嵌合溝８ａとの嵌合部４ａを形成し、外側部に前記装着体４の連結部１１を設け、さらに中間部に前記掛け体９の掛け孔１２を形成している。また、この掛け孔１２の内側部には、前記掛け体９の掛け溝９ａへの掛け部１２ａを形成したものとしている。図示したものでは、前記傾斜壁１０を凹曲面状壁とし、前記立て壁７に適合するものとしており、その両端部に前記嵌合溝８ａに適合する斜方体形状よりなる嵌合部４ａを形成している。そして、掛け孔１２の平面形状は、前記掛け体９に適合する流線形にしており、ゴーグル１の着用時に流体抵抗の少ないものとなるようにしている。なお、前記本体２の嵌合溝８ａは内側方向の傾斜面を有するものとし、掛け具３の嵌合部３ａはこの嵌合溝８ａに適合する斜方体形状にしているので、嵌合溝８ａへの嵌合部４ａの嵌合はスムーズなものとなる。
【００２５】
前記装着体４は、弾性を有するバンドとするのが、ゴーグル１の着用時に本体２の環状パッド６と顔面との充分な密着性を確保するのに好ましいが、弾性を有さないバンドやその他の部材としてもよい。すなわち、前記装着体４は、バンドなどの帯状体に限らず、つるなどの棒状体などとすることもできる。図示した装着体４は、両端部がそれぞれ掛け具３の連結部１１である挿通孔に挿通されて折り返され、その折り返されて重なり合う部分がバックル１３の二条の平行な挿通孔（図示せず）に長さ調整可能に挿通されている。
【００２６】
そこで、この発明にゴーグルにおいて、前記本体２に掛け具３を連結するには、本体２の台座８に突設した掛け体９を、掛け具３の掛け孔１２に挿入して、その掛け体９の掛け溝９ａに掛け孔１２の掛け部１２ａを引っ掛けるとともに、本体２の立て壁７に掛け具３の傾斜壁１０を当接させる。このとき、掛け具３の傾斜壁１０は、前方から後方にかけて傾斜させているので、この傾斜壁１０の前端のみが本体２の立て壁７に接触しながら、図４に示したように、立て壁７との間に空間部Ｓを形成して、前記掛け体９の掛け溝９ａに、掛け孔１２の掛け部１２ａが引っ掛けられるため、本体２に掛け具３をスムーズに連結できるものとなる。そして、本体２の立て壁７と、掛け具３の傾斜壁１０との当接により、掛け具３が本体２に対し、内側方向（図４の矢印ａ方向）に外れることを防止している。また、前記掛け体９の掛け溝９ａと、掛け孔１２の掛け部１２ａとの引っ掛かりにより、掛け具３が軟質材料からなる場合にも、この掛け具３が本体２から簡単に分離するようなことはなく、また掛け具３が本体２に対し、外側方向（図４の矢印ｂ方向）、前後方向（図４の両頭矢印ｃ方向）および上下方向（図１の両頭矢印ｄ方向）に外れることを防止している。
【００２７】
さらに、前記本体２の立て壁７に掛け具３の傾斜壁１０を当接させることにより、本体２の台座８に形成した嵌合溝８ａと、掛け具３の傾斜壁１０の両端部に形成した嵌合部４ａとの位置が合って、嵌合溝８ａに嵌合部４ａが嵌合することになる。そして、これら両者の嵌合によって、掛け具３が本体２に対し、上下方向（図１の両頭矢印ｄ方向）に外れることを防止している。
【００２８】
したがって、この発明のゴーグルは、本体２と装着体４との掛け具３に、どのような方向の力が作用しても、この掛け具３が本体２から簡単に分離するようなことはなくなる。
【図面の簡単な説明】
【００２９】
【図１】この発明のゴーグルの一実施形態を一部分解して示す全体斜視図である。
【図２】この発明のゴーグルの一方の本体と掛け具との連結を外した状態を示す部分拡大斜視図である。
【図３】この発明のゴーグルの一方の本体と掛け具との連結を外した状態を示す断面図である。
【００３０】
【図４】この発明のゴーグルの一方の本体と掛け具とを連結した状態を示す断面図である。
【図５】従来のゴーグルの一例を示す全体断面図である。
【図６】図５に示すゴーグルの一方の本体と掛け具との平面図である。
【図７】図６の矢印Ａ方向から見た掛け具の説明図である。
【図８】図５に示すゴーグルの一方の本体と掛け具との連結を外した状態を示す断面図である。
【００３１】
【図９】従来のゴーグルの他の例を一部分解して示す全体斜視図である。
【図１０】図９のＣ−Ｃ線による断面図である。
【図１１】図１０のＤ−Ｄ線による断面図である。
【符号の説明】
【００３２】
２  本体
３  掛け具
３ａ  嵌合部
４  装着体
５  ジョイント
７  立て壁
８  台座
８ａ  嵌合溝
９  掛け体
９ａ  掛け溝
１０  傾斜壁
１１  挿通孔
１２  掛け孔
１２ａ  掛け部
【図１】
2005323751.tif 000003
【図２】
2005323751.tif 000004
【図３】
2005323751.tif 000005
【図４】
2005323751.tif 000006
【図５】
2005323751.tif 000007
【図６】
2005323751.tif 000008
【図７】
2005323751.tif 000009
【図８】
2005323751.tif 000010
【図９】
2005323751.tif 000011
【図１０】
2005323751.tif 000012
【図１１】
2005323751.tif 000013